(57)【要約】      （修正有）【課題】単純な部品構成かつ簡単な作業で配線可能で、しかも遮音壁の遮音性が損なわれずスピーカー鳴動音がスピーカー格納室から漏れることを防止する遮音構造を提供する。【解決手段】スピーカーを有する電子機器における筐体内部の遮音構造であって、電子機器の筐体を構成する上ケース２と下ケース３によりスピーカーを格納するスピーカー格納室および電気回路を格納する回路格納室を構成し、上ケースまたは下ケースの所定の部位にスピーカーと電気回路とを接続する接続コードを収める間隙を有する平行板２０を形成し、平行板が形成されていない下ケースまたは上ケースの平行板と対向する部位に平行板収納部３３を形成し、平行板の内面にスピーカー格納室からのスピーカー鳴動音の漏れを防止する１以上のリブを形成する。【選択図】図４
0003173537.tif 000002
【実用新案登録請求の範囲】
【請求項１】
スピーカーを有する電子機器における筐体内部の遮音構造であって、
前記電子機器の筐体を構成する上ケースと下ケースにより前記スピーカーを格納するスピーカー格納室および電気回路を格納する回路格納室を構成し、
前記上ケースまたは下ケースの所定の部位に前記スピーカーと前記電気回路とを接続する接続コードを収める間隙を有する平行板を形成し、
前記平行板が形成されていない下ケースまたは上ケースの前記平行板と対向する部位に平行板収納部を形成し、
前記平行板の内面に前記スピーカー格納室からのスピーカー鳴動音の漏れを防止する１以上のリブを形成したことを特徴とする電子機器の筐体内遮音構造。
【請求項２】
請求項１に記載の遮音構造において、
前記平行板収納部に前記平行板の間隙を埋める突起板を形成したことを特徴とする電子機器の筐体内遮音構造。
【考案の詳細な説明】
【技術分野】
【０００１】
本考案は、電子機器の筐体内部における遮音構造に関する。
【背景技術】
【０００２】
音響機器に代表される電子機器は、音響特性上、スピーカー鳴動音をスピーカー格納室から漏れさせないために、スピーカー格納室を他の筐体内空間と遮断するための遮音壁を筐体内に設けることが不可欠となっている。スピーカー格納室内のスピーカーと、他の筐体内空間に設けた電気回路とを接続するコード配線は、遮音壁を通して行わねばならない。これを実現するため、遮音壁にゴムブッシュを通しておき、このゴムブッシュを介して配線するのが一般的である（例えば、特許文献１）。
【０００３】
スピーカー格納室と他の筐体内空間とを遮断するための遮音壁を通して容易に配線でき、しかも遮音壁の遮音性が損なわれずスピーカー鳴動音がスピーカー格納室から漏れることを防止でき、また遮音壁を挿通するために別部品を介したり、特別な配線スペースを要することもなく、安価に製造できる構造が望ましい。しかしながら、従来の構造では、コードの配線に係る部品および構造が複雑なため、配線作業が面倒であると共に、遮音性が損なわれてスピーカー鳴動音がスピーカー格納室から漏れやすく、音響特性を確保しづらいという欠点があった。
【先行技術文献】
【特許文献】
【０００４】
【特許文献１】実公昭６３−３２５１号公報
【考案の概要】
【考案が解決しようとする課題】
【０００５】
そこで、本考案は単純な部品構成かつ簡単な作業で配線可能で、しかも遮音壁の遮音性が損なわれずスピーカー鳴動音がスピーカー格納室から漏れることを防止する遮音構造を実現することにある。
【課題を解決するための手段】
【０００６】
上記の課題を解決するために、本考案は、スピーカーを有する電子機器における筐体内部の遮音構造であって、前記電子機器の筐体を構成する上ケースと下ケースにより前記スピーカーを格納するスピーカー格納室および電気回路を格納する回路格納室を構成し、前記上ケースまたは下ケースの所定の部位に前記スピーカーと前記電気回路とを接続する接続コードを収める間隙を有する平行板を形成し、前記平行板が形成されていない下ケースまたは上ケースの前記平行板と対向する部位に平行板収納部を形成し、前記平行板の内面に前記スピーカー格納室からのスピーカー鳴動音の漏れを防止する１以上のリブを形成したことを特徴とする。
【考案の効果】
【０００７】
本考案によれば、単純な部品構成かつ簡単な作業で配線可能で、しかも遮音壁の遮音性が損なわれずスピーカー鳴動音がスピーカー格納室から漏れることを防止する遮音構造を実現できる。
【図面の簡単な説明】
【０００８】
【図１】本考案の実施の一形態に係る音響機器を示す斜視図
【図２】図１の状態から下ケースをはずした底面図
【図３】図１の状態から上ケースをはずした平面図
【図４】上ケースと下ケースの嵌合を示す図１のＡ−Ａ線断面図
【考案を実施するための形態】
【０００９】
以下に、電子機器として音響機器を例に、図面を参照しながら、本考案の実施の一形態について説明する。ただし、以下の説明は、あくまでも本考案の例示にすぎず、以下の記載によって考案の技術的範囲が限定されるものではない。
【００１０】
図１は、本考案の実施の一形態に係る音響機器１を示す斜視図である。音響機器１の筐体を構成する上ケース２と、音響機器１の筐体を構成する下ケース３から成る構造を表している。音響機器１は後述するスピーカー４を有しており、筐体内部の遮音構造について、以下で説明する。
【００１１】
図２は、図１の状態から下ケース３をはずした底面図である。上ケース２にスピーカー４を固定した状態を表している。接続コード４０を簡単な作業で配線するために、上ケース２の内表面に接続コード４０を収める間隙を有する平行板２０を形成する。スピーカー鳴動音が後述するスピーカー格納室３０から漏れることを防止するために、平行板２０の内面に交互のリブ２１、２２を形成する。
【００１２】
図３は、図１の状態から上ケース２をはずした平面図である。下ケース３のスピーカー格納室３０および回路格納室３１を表している。スピーカー鳴動音がスピーカー格納室３０から漏れることを防止するために、スピーカー格納室３０に遮音壁３２を形成する。遮音壁３２に平行板２０と対向する部位に平行板収納部３３を形成する。スピーカー鳴動音がスピーカー格納室３０から漏れることを防止するために、平行板収納部３３の底面に平行板２０の間隙を埋める突起板３４を形成する。
【００１３】
図４は、上ケース２と下ケース３の嵌合を示す図１のＡ−Ａ線断面図である。平行板収納部３３に平行板２０を遊挿した状態を表している。また、平行板２０の間隙を埋める突起板３４を遊挿した状態を表している。
【００１４】
なお、上記一実施例では、上ケース２に平行板２０を形成し、下ケース３に平行板収納部３３を形成する場合について説明したが、上ケース２に平行板収納部３３を形成し、下ケース３に平行板２０を形成する場合も同様である（図示せず）。
【００１５】
以上説明した通り、本考案によれば、単純な部品構成かつ簡単な作業で配線可能で、しかも遮音壁の遮音性が損なわれずスピーカー鳴動音がスピーカー格納室から漏れることを防止する遮音構造を実現できる。
【００１６】
なお、実施の一形態においては、電子機器として音響機器を例に説明したが、本考案の構造は、電子機器一般に適用可能であり、音響機器以外に、特に電話機などの音響特性が求められる通信機器にも適している。
【符号の説明】
【００１７】
１…音響機器、２…上ケース、２０…平行板、２１…リブ、２２…リブ、３…下ケース、３０…スピーカー格納室、３１…回路格納室、３２…遮音壁、３３…平行板収納部、３４…突起板、４…スピーカー、４０…接続コード
【図１】
0003173537.tif 000003
【図２】
0003173537.tif 000004
【図３】
0003173537.tif 000005
【図４】
0003173537.tif 000006